(57)【要約】【課題】携帯端末を自分の好みのコンテンツでカスタマイズする際、複雑な知識や、多くの時間と労力とを必要とせず、携帯電話の処理に負担をかけない技術を提供すること。【解決手段】ユーザは、自分の好みのメロディがない場合、着信音設定画面のメロディ検索の項目を選択し、コンテンツ管理サーバ２に接続する。検索情報画面においてキーワードを入力し、キーワードをコンンツ管理サーバ２に送信する。コンテンツ管理サーバ２は、キーワードを含む検索情報群に対応する着信メロディをコンテンツ管理データベース２３から検索し、その着信メロディの曲名及びリンクパラメータを携帯電話１に送信する。携帯電話１は、コンテンツの曲名及びリンクパラメータを受信し、検索結果として曲名を表示し、着信メロディのリンクパラメータに基づいてコンテンツサーバ３から着信メロディをダウンロードし、着信音として設定する。【選択図】    図１２
2004342044.tif 000002
【特許請求の範囲】
【請求項１】
携帯端末のカスタマイズシステムであって、
携帯端末と、前記携帯端末をカスタマイズするためのコンテンツを提供する複数のコンテンツサーバと、前記コンテンツを管理するコンテンツ管理サーバとを有し、
前記コンテンツ管理サーバは、
コンテンツの名称と、前記コンテンツのコンテンツ検索情報群と、前記コンテンツを提供しているコンテンツサーバへのリンクを示したリンクパラメータとが対応付けられて記憶されたコンテンツ管理データベースと、
携帯端末から送信されてくるコンテンツの検索情報を含むコンテンツ検索情報群に対応するコンテンツを、前記コンテンツ管理データベースから検索し、そのコンテンツの名称及びリンクパラメータを前記携帯端末に送信する手段と
を有し
前記携帯端末は、
ディスプレイと、
携帯端末の機能を設定する際に表示される機能設定画面に、前記コンテンツ管理サーバへのリンクを、他の項目と共に前記ディスプレイに表示し、前記コンテンツ管理サーバへのリンクが選択された場合、コンテンツ管理サーバにアクセスする手段と、
ユーザによって入力されたコンテンツの検索情報を、前記コンテンツ管理サーバに送信する手段と、
前記コンテンツ管理サーバから送信されてくるコンテンツの名称及びリンクパラメータを受信し、コンテンツの名称を前記ディスプレイに表示する手段と、
前記表示されたコンテンツの名称のうち、ユーザによって選択されたコンテンツのリンクパラメータに基づいて、前記コンテンツサーバにアクセスし、前記コンテンツサーバからコンテンツをダウンロードする手段と、
を有し、
前記コンテンツサーバは、
前記携帯端末からの要求に応答して、リンクパラメータに対応したコンテンツを送信する手段と
を有することを特徴とする携帯端末のカスタマイズシステム。
【請求項２】
前記携帯端末は、ダウンロードしたコンテンツを機能設定する手段を有することを特徴とする請求項１に記載の携帯端末のカスタマイズシステム。
【請求項３】
前記携帯端末は、自己の機種情報を送信する手段を有し、
前記コンテンツ管理サーバのコンテンツ管理データベースは、携帯端末の機種ごとに設けられ、前記検索手段は、前記機種情報に基づいて、携帯端末に合ったコンテンツを、前記コンテンツ管理データベースから検索するように構成されていることを特徴とする請求項１又は請求項２に記載の携帯端末のカスタマイズシステム。
【請求項４】
複数のコンテンツサーバを管理し、コンテンツによる携帯端末の機能のカスタマイズを援助する管理サーバであって、
携帯端末の機能をカスタマイズする際に表示される機能設定画面に、管理サーバへのリンクがはられており、
コンテンツの名称と、前記コンテンツの検索情報群と、前記コンテンツを提供しているコンテンツサーバへのリンクを示したリンクパラメータとが対応付けられて記憶されたコンテンツ管理データベースと、
携帯端末から送信されてくるコンテンツの検索情報を含むコンテンツ検索情報群に対応するコンテンツを、前記コンテンツ管理データベースから検索し、そのコンテンツの名称及びリンクパラメータを前記携帯端末に送信する検索手段と
を有することを特徴とする管理サーバ。
【請求項５】
前記コンテンツ管理データベースは、携帯端末の機種ごとに設けられ、
前記検索手段は、送信されてくる携帯端末の機種情報に基づいて、その機種に対応したコンテンツを前記コンテンツ管理データベースから検索するように構成されていることを特徴とする請求項４に記載の管理サーバ。
【請求項６】
携帯端末であって、
ディスプレイと、
携帯端末の機能を設定する際に表示される機能設定画面に、コンテンツを管理するコンテンツ管理サーバへのリンクを、他の項目と共に前記ディスプレイに表示し、前記コンテンツ管理サーバへのリンクが選択された場合、コンテンツ管理サーバにアクセスする手段と、
ユーザによって入力されたコンテンツの検索情報を、前記コンテンツ管理サーバに送信する手段と、
前記検索情報の結果として、コンテンツの名称及びリンクパラメータを前記コンテンツ管理サーバから受信し、そのコンテンツの名称を前記ディスプレイに表示する手段と、
前記表示されたコンテンツの名称のうち、ユーザによって選択されたコンテンツのリンクパラメータに基づいて、そのコンテンツを提供するコンテンツサーバにアクセスし、前記コンテンツサーバからコンテンツをダウンロードする手段とを有することを特徴とする携帯端末。
【請求項７】
前記携帯端末は、ダウンロードしたコンテンツを機能設定する手段を有することを特徴とする請求項６に記載の携帯端末。
【請求項８】
携帯端末のプログラムであって、
前記プログラムは、携帯端末を、
携帯端末の機能を設定する際に表示される機能設定画面に、コンテンツを管理するコンテンツ管理サーバへのリンクを、他の項目と共に表示し、前記コンテンツ管理サーバへのリンクが選択された場合、コンテンツ管理サーバにアクセスする手段と、
ユーザによって入力されたコンテンツの検索情報を、前記コンテンツ管理サーバに送信する手段と、
前記検索情報の結果として、コンテンツの名称及びリンクパラメータを前記コンテンツ管理サーバから受信し、そのコンテンツの名称を表示する手段と、
前記表示されたコンテンツの名称のうち、ユーザによって選択されたコンテンツのリンクパラメータに基づいて、そのコンテンツを提供するコンテンツサーバにアクセスし、前記コンテンツサーバからコンテンツをダウンロードする手段として機能させることを特徴とする携帯端末のプログラム。
【請求項９】
前記プログラムは前記携帯電話を、ダウンロードしたコンテンツを機能設定する手段として更に機能させることを特徴とする請求項８に記載の携帯端末のプログラム。
【発明の詳細な説明】
【０００１】
【発明が属する技術分野】
本発明は携帯端末のカスタマイズシステムに関し、特に携帯端末を自分の好みのコンテンツでカスタマイズする際、複雑な知識や、多くの時間と労力とを必要とせずに携帯端末をカスタマイズできる技術に関する。
【０００２】
【従来の技術】
近年、携帯端末、中でも携帯電話が注目を浴びている。近年の携帯電話は、従来の設置型の電話のように単なる通話機能のみならず、インターネット等のネットワークに接続してデータの送受信が出来る機能が設けられ、コンピュータのような機能を有している。
【０００３】
また、現在の携帯電話は、着信音（着信メロディ）や待受け画面のコンテンツを予め複数記憶しており、これらのコンテンツから自分の好みにあったコンテンツを選択することによって、携帯電話をカスタマイズできるようになっている。
【０００４】
例えば、着信音を初期状態からカスタマイズする場合、携帯電話の着信音設定画面を起動し、予め記憶されている着信音（着信メロディ）の中から自分の好みにあったコンテンツを選択することによって、携帯電話をカスタマイズするように構成されている。
【０００５】
ところで、人の趣向性は多様であり、携帯電話に予め記憶されているコンテンツだけでは満足できず、別途、コンテンツサーバから、希望の着信音（着信メロディ）や待受け画面等のコンテンツをダウンロードし、そのコンテンツを携帯電話の着信音（着信メロディ）や待受け画面として設定するやり方もある。
【０００６】
上述の如く、携帯電話に予め記憶されているコンテンツ以外のコンテンツで、携帯電話をカスタマイズする場合、まず、そのコンテンツを入手しなければならない。この場合、コンテンツを提供しているコンテンツサーバに接続して希望のコンテンツをダウンロードしなければならない。
【０００７】
しかしながら、コンテンツを提供しているコンテンツサーバは多数存在し、その中から希望のコンテンツを提供しているコンテンツサーバを探すことは多くの時間と労力を必要としていた。
【０００８】
また、着信メロディや、待受け画面を設定する機能設定の項目には、コンテンツを入手する為のコンテンツサーバへのアクセス手段はなく、初心者ではいかなる方法でコンテンツサーバに接続してコンテンツを入手すれば良いか、戸惑う場合が多かった。
【０００９】
更に、コンテンツをコンテンツサーバより入手したとしても、そのコンテンツをその場で直ぐに着信音や待受け画面として設定することはできず、わざわざ機能設定を起動して設定しなければならず、多くの時間と労力を必要としていた。
【００１０】
そこで、上記のような課題を解決する技術として、以下の技術が提案されている。
【００１１】
この技術によれば、ユーザは、記憶されている着信メロディの中から、自分の好みにあったメロディを探しながら、設定画面の一覧をスクロールさせる。好みの着信メロディがない場合には、最後の「その他」というボタンを押す。これによって、携帯電話はインターネットへ接続し、そこから着信メロディリストをダウンロードする。
【００１２】
着信メロディリストをダウンロードした携帯電話は、先ほどの着信メロディの一覧の下に続けて、ダウンロードしたリストのタイトルを続けて表示する。そして、ユーザは、表示されたリストから、メロディを選択できるようにした技術である（特許文献１参照）。
【００１３】
【特許文献１】
特開２００３−１２５０９８号公報
【発明が解決しようとする課題】
しかしながら、現在、着信メロディ等のコンテンツを提供するコンテンツププロバイダーは多数あり、そこから提供されるコンテンツは膨大な数にのぼる。
【００１４】
従って、上述の従来技術の如く、提供されているコンテンツを一つのリストに記載しようとすると、データサイズが大きなものとなってしまい、通信速度、記憶容量や、表示サイズが限られた携帯電話等の携帯端末では限界が生じてしまう。
【００１５】
更に、一覧リストによって表示された多くのコンテンツの中から、ユーザの希望のコンテンツを自力で探し出すには、相当の時間と労力が必要となる。
【００１６】
また、リストの中から希望のコンテンツを検索する検索機能を、携帯電話等の携帯端末に持たせようとすると、携帯端末の処理に負担が生じてしまう。
【００１７】
そこで、本発明は上記課題に鑑みて発明されたものであって、その目的は、携帯端末を自分の好みのコンテンツでカスタマイズする際、複雑な知識や、多くの時間と労力とを必要とせず、また、携帯電話の処理に負担をかけない携帯端末をカスタマイズできる技術を提供することを目的とする。
【００１８】
【課題を解決するための手段】
上記目的を達成する第１の発明は、携帯端末のカスタマイズシステムであって、
携帯端末と、前記携帯端末をカスタマイズするためのコンテンツを提供する複数のコンテンツサーバと、前記コンテンツを管理するコンテンツ管理サーバとを有し、
前記コンテンツ管理サーバは、
コンテンツの名称と、前記コンテンツのコンテンツ検索情報群と、前記コンテンツを提供しているコンテンツサーバへのリンクを示したリンクパラメータとが対応付けられて記憶されたコンテンツ管理データベースと、
携帯端末から送信されてくるコンテンツの検索情報を含むコンテンツ検索情報群に対応するコンテンツを、前記コンテンツ管理データベースから検索し、そのコンテンツの名称及びリンクパラメータを前記携帯端末に送信する手段と
を有し
前記携帯端末は、
ディスプレイと、
携帯端末の機能を設定する際に表示される機能設定画面に、前記コンテンツ管理サーバへのリンクを、他の項目と共に前記ディスプレイに表示し、前記コンテンツ管理サーバへのリンクが選択された場合、コンテンツ管理サーバにアクセスする手段と、
ユーザによって入力されたコンテンツの検索情報を、前記コンテンツ管理サーバに送信する手段と、
前記コンテンツ管理サーバから送信されてくるコンテンツの名称及びリンクパラメータを受信し、コンテンツの名称を前記ディスプレイに表示する手段と、
前記表示されたコンテンツの名称のうち、ユーザによって選択されたコンテンツのリンクパラメータに基づいて、前記コンテンツサーバにアクセスし、前記コンテンツサーバからコンテンツをダウンロードする手段と、
を有し、
前記コンテンツサーバは、
前記携帯端末からの要求に応答して、リンクパラメータに対応したコンテンツを送信する手段と
を有することを特徴とする。
【００１９】
上記目的を達成する第２の発明は、上記第１の発明において、前記携帯端末は、ダウンロードしたコンテンツを機能設定する手段を有することを特徴とする。
【００２０】
上記目的を達成する第３の発明は、上記第１、２の発明において、前記携帯端末は、自己の機種情報を送信する手段を有し、
前記コンテンツ管理サーバのコンテンツ管理データベースは、携帯端末の機種ごとに設けられ、前記検索手段は、前記機種情報に基づいて、携帯端末に合ったコンテンツを、前記コンテンツ管理データベースから検索するように構成されていることを特徴とする。
【００２１】
上記目的を達成する第４の発明は、複数のコンテンツサーバを管理し、コンテンツによる携帯端末の機能のカスタマイズを援助する管理サーバであって、
携帯端末の機能をカスタマイズする際に表示される機能設定画面に、管理サーバへのリンクがはられており、
コンテンツの名称と、前記コンテンツの検索情報群と、前記コンテンツを提供しているコンテンツサーバへのリンクを示したリンクパラメータとが対応付けられて記憶されたコンテンツ管理データベースと、
携帯端末から送信されてくるコンテンツの検索情報を含むコンテンツ検索情報群に対応するコンテンツを、前記コンテンツ管理データベースから検索し、そのコンテンツの名称及びリンクパラメータを前記携帯端末に送信する検索手段と
を有することを特徴とする。
【００２２】
上記目的を達成する第５の発明は、上記第４の発明において、前記コンテンツ管理データベースは、携帯端末の機種ごとに設けられ、
前記検索手段は、送信されてくる携帯端末の機種情報に基づいて、その機種に対応したコンテンツを前記コンテンツ管理データベースから検索するように構成されていることを特徴とする。
【００２３】
上記目的を達成する第６の発明は、携帯端末であって、
ディスプレイと、
携帯端末の機能を設定する際に表示される機能設定画面に、コンテンツを管理するコンテンツ管理サーバへのリンクを、他の項目と共に前記ディスプレイに表示し、前記コンテンツ管理サーバへのリンクが選択された場合、コンテンツ管理サーバにアクセスする手段と、
ユーザによって入力されたコンテンツの検索情報を、前記コンテンツ管理サーバに送信する手段と、
前記検索情報の結果として、コンテンツの名称及びリンクパラメータを前記コンテンツ管理サーバから受信し、そのコンテンツの名称を前記ディスプレイに表示する手段と、
前記表示されたコンテンツの名称のうち、ユーザによって選択されたコンテンツのリンクパラメータに基づいて、そのコンテンツを提供するコンテンツサーバにアクセスし、前記コンテンツサーバからコンテンツをダウンロードする手段とを有することを特徴とする。
【００２４】
上記目的を達成する第７の発明は、上記第６の発明において、前記携帯端末は、ダウンロードしたコンテンツを機能設定する手段を有することを特徴とする。
【００２５】
上記目的を達成する第８の発明は、携帯端末のプログラムであって、
前記プログラムは、携帯端末を、
携帯端末の機能を設定する際に表示される機能設定画面に、コンテンツを管理するコンテンツ管理サーバへのリンクを、他の項目と共に表示し、前記コンテンツ管理サーバへのリンクが選択された場合、コンテンツ管理サーバにアクセスする手段と、
ユーザによって入力されたコンテンツの検索情報を、前記コンテンツ管理サーバに送信する手段と、
前記検索情報の結果として、コンテンツの名称及びリンクパラメータを前記コンテンツ管理サーバから受信し、そのコンテンツの名称を表示する手段と、
前記表示されたコンテンツの名称のうち、ユーザによって選択されたコンテンツのリンクパラメータに基づいて、そのコンテンツを提供するコンテンツサーバにアクセスし、前記コンテンツサーバからコンテンツをダウンロードする手段として機能させることを特徴とする。
【００２６】
上記目的を達成する第９の発明は、上記第８の発明において、前記プログラムは前記携帯電話を、ダウンロードしたコンテンツを機能設定する手段として更に機能させることを特徴とする。
【００２７】
【発明の実施の形態】
以下に、図面を参照して本発明の携帯電話のカスタマイズに係る第１の実施の形態を説明する。
【００２８】
図１は第１の実施の形態を示すブロック図である。尚、本実施の形態では、携帯端末の一例である携帯電話の機能のうち、着信時の着信音をカスタマイズする例について説明する。
【００２９】
図１において、参照符号１は携帯電話を示しており、この携帯電話１はネットワーク４を介してコンテンツ管理サーバ２に接続されている。コンテンツ管理サーバ２は、ネットワーク５を介して少なくとも１つ（図１では３つ）のコンテンツサーバ３に接続されている。尚、本実施の形態では説明を容易とするために、ネットワーク４とネットワーク５とを別のネットワークとして説明するが、同一のネットワークを介して、携帯電話１、コンテンツ管理サーバ２、及びコンテンツサーバ３が接続されていてもかまわない。
【００３０】
次に、携帯電話１について詳細に説明する。図２は携帯電話１のブロック図である。
【００３１】
図２に示すように、携帯電話１は、データを送受信する送受信部１１と、選択キー等の入力部１２と、ディスプレイ１３と、入力部１２によって機能選択が選択されるとディスプレイ１３に機能選択画面を表示する機能選択部１５とを有する。また、携帯電話１は、コンテンツ管理サーバ２にアクセスする機能設定部１６と、そのコンテンツ管理サーバ２から送信されたコンテンツを格納する記憶部１４とを有する。
【００３２】
機能選択部１５は、携帯電話１をカスタマイズする為の機能を選択するものであって、例えば、ユーザが自分の好みに応じて待受け画面や、着信メロディを、カスタマイズする際にいずれかの機能を選択するものである。そして、機能選択部１５は、入力部１２により、機能選択が選択されると、ディスプレイ１３に機能選択画面が表示されるように構成されている。
【００３３】
ここで、機能選択部１５により、表示される機能選択画面の表示例を、図３から図５に示す。
【００３４】
まず、入力部１２により、機能選択が選択されると、図３に示す如く、ディスプレイ１３に、ツールや、機能設定、ユーザデータの選択画面が表示される。更に、ユーザが携帯電話１の機能を好みに応じてカスタマイズする為に、機能設定を選択すると、ディスプレイ１３には、図４に示される如く、待受け画面と着信メロディとの機能選択画面が表示される。そして、ユーザが、着信メロディの項目を選択すると、図５に示される如く、着信メロディを、携帯電話１に記憶されているものの中から選択する為の固定メロディ選択項目と、着信メロディを新たに探す為の着信メロディ検索項目とが表示される。このように、着信音として設定する機能設定画面において、固定メロディ選択項目と並列的に、コンテンツサーバから提供される着信メロディを検索する着信メロディ検索項目が表示される。
【００３５】
機能設定部１６は、機能選択画面において、上述の着信メロディ検索項目が選択されると、予めリンクがはられたコンテンツ管理サーバ２にアクセスするように構成されている。また、後述するコンテンツサーバ３のリンクパラメータに基づいて、そのコンテンツサーバ３にアクセスするように構成されている。更に、ダウンロードした着信メロディを、記憶部１４に格納後、着信音として設定するように構成されている。
【００３６】
続いて、コンテンツ管理サーバ２について説明する。
【００３７】
図６はコンテンツ管理サーバ２のブロック図である。
【００３８】
図６において、参照符号２１はデータを送受信する送受信部を示している。
【００３９】
参照符号２２は検索画面送出部を示している。この検索画面送出部２２は、携帯電話１からの着信メロディ検索の要求に応答して、着信メロディの検索画面を携帯電話１に送信するように構成されている。その着信メロディの検索画面は、図７に示される如く、希望の着信メロディを検索する為の検索情報であるキーワードを入力する為の画面である。
【００４０】
参照符号２３はコンテンツデータベースを示している。このコンテンツデータベース２３は、着信メロディの曲名と、この曲のアーティスト名等のキーワード群である検索情報群と、その着信メロディを提供しているコンテンツサーバ３にリンクする為のリンクパラメータとが対応付けられて格納されている。尚、リンクパラメータとは、コンテンツを提供しているコンテンツサーバ３の通常のメインページにリンクされているものではなく、そのコンテンツをダウンロードする為のページに直接リンクされているものである。
【００４１】
図８にコンテンツ管理データベース２３の一例を示す。
【００４２】
図８では、着信メロディの曲名“海辺”と、この曲の検索情報群として、曲名“海辺”及びアーティスト名“△☆”と、その着信メロディへのリンクを示すものとして、リンクパラメータ“１２３．１３４．３．５”とが対応付けられて記憶されている例を示している。
【００４３】
参照符号２４はコンテンツ検索部を示している。このコンテンツ検索部２４は、携帯電話１からの着信メロディのキーワードを受けて、曲名やアーティスト名にそのキーワードを含む識別情報に対応する着信メロディを、コンテンツデータベース２３から検索する。そして、検索された着信メロディの曲名と、その着信メロディのリンクパラメータとを携帯電話１に送信するように構成されている。
【００４４】
コンテンツサーバ３について説明する。
【００４５】
図９はコンテンツサーバのブロック図である。
【００４６】
図９において、参照符号３１はデータの送受信部を示している。
【００４７】
参照符号３２はコンテンツデータベースを示している。このコンテンツデータベース３２は、着信メロディのリンクパラメータと、その着信メロディの曲名と、その着信メロディのデータとが対応付けられたデータベースである。
【００４８】
図１０にコンテンツデータベース３２の一例を示す。
【００４９】
図１０では、リンクパラメータ“１２３．１３４．３．５”と、着信メロディの曲名“海辺”と、その着信メロディのデータとが対応付けられて記憶されていることを示している。
【００５０】
参照符号３３は検索部を示している。この検索部３３は、携帯電話１からのリンクパラメータでの要求に応答して、そのリンクパラメータに対応した着信メロディをコンテンツデータベース３２から検索し、図１１に示すような、その着信メロディをダウンロードする為の確認画面を携帯電話１に送信する。そして、着信メロディのダウンロードの要求に応答して、着信メロディのデータを携帯電話１に送信するように構成されている。
【００５１】
次に、上述の構成における動作を説明する。
【００５２】
図１２は、本実施の形態における動作のフローチャートである。
【００５３】
まず、ユーザは自分の好みのメロディを着信音として設定したいと思った場合、携帯電話１の入力部１２を操作して、着信音の設定画面を起動させ（Ｓｔｅｐ１００）、図５に示されるような着信音設定画面を表示させる（Ｓｔｅｐ  １０１）。
【００５４】
ここで、既に記憶されているメロディ（固定メロディ）には、自分の好みのメロディがない場合、メロディ検索の項目を選択する（Ｓｔｅｐ  １０２）。すると、図１３に示される如く、コンテンツ管理サーバ２への接続確認の画面が表示され、『はい』を選択すると、機能設定部１６により、コンテンツ管理サーバ２に接続される（Ｓｔｅｐ  １０３）。
【００５５】
コンテンツ管理サーバ２では、検索画面送出部２２が、メロディの検索画面を携帯電話１に送信する（Ｓｔｅｐ  １０４）。
【００５６】
検索画面を受信した携帯電話１では、機能設定部１６により、図７に示されような検索画面が表示される（Ｓｔｅｐ  １０５）。この検索画面は、ユーザの希望のコンテンツを検索する為に、ユーザにより、メロディの曲名や、アーティスト名等のキーワードが入力される画面である。そして、この画面において、ユーザは、検索情報となるキーワードを入力し（Ｓｔｅｐ  １０６）、そのキーワードはコンテンツ管理サーバ２に送信される（Ｓｔｅｐ  １０７）。ここでは、キーワードとして、図７に示される如く、“海辺”が入力されたものとする。
【００５７】
コンテンツ管理サーバ２では、コンテンツ検索部２４が、携帯電話１から送信されてきたキーワードを含む検索情報群に対応する着信メロディをコンテンツ管理データベース２３から検索し（Ｓｔｅｐ  １０８）、その着信メロディの曲名及びリンクパラメータを取得する（Ｓｔｅｐ  １０９）。そして、取得した着信メロディの曲名及びリンクパラメータを携帯電話１に送信する（Ｓｔｅｐ  １１０）。
【００５８】
ここでは、携帯電話１から送信されてきたキーワードは“海辺”であり、このキーワードを含む識別情報に対応する着信メロディは、図８に示されるコンテンツ管理データベース２３を例にすると、曲名“海辺”、曲名“海辺の○○”及び曲名“××の海辺”である。そして、これらに対応するリンクパラメータは、それぞれ、“１２３．１３４．３．５”  、“１２３．１３４．３．６”、“１２３．１３４．３．７”である。従って、これらの曲名及びリンクパラメータを携帯電話１に送信する。
【００５９】
携帯電話１では、コンテンツ管理サーバ２から送信されてきたコンテンツの曲名及びリンクパラメータを受信し、検索結果として曲名を表示する（Ｓｔｅｐ  １１１）。ここでは、受信した着信メロディは、曲名“海辺”、曲名“海辺の○○”及び曲名“××の海辺”であるので、図１３に示されるような結果が表示される。
【００６０】
ユーザは、表示された着信メロディの曲名のうちから、自分が希望した着信メロディを、入力部により選択する（Ｓｔｅｐ  １１２）。すると、携帯電話１は、選択された着信メロディのリンクパラメータに基づいて、その着信メロディを提供しているコンテンツサーバ３にアクセスする（Ｓｔｅｐ  １１３）。
【００６１】
ここでは、ユーザは曲名“海辺”を選択したものとすると、曲名“海辺”のリンクパラメータは“１２３．１３４．３．５”であるので、このリンクパラメータは“１２３．１３４．３．５”に基づいて、着信メロディを提供しているコンテンツサーバ３にアクセスする。
【００６２】
コンテンツサーバ３では、リンクパラメータに基づいてアクセスしてきた携帯電話１に対して、そのリンクパラメータに対応した着信メロディを、コンテンツデータベース３３から検索し、その着信メロディのダウンロードの確認画面を送信する（Ｓｔｅｐ  １１４）。
【００６３】
ここでは、リンクパラメータが“１２３．１３４．３．５”なので、図１１に示されるような曲名“海辺”のダウンロードの確認画面を送信する。
【００６４】
携帯電話１では、着信メロディのダウンロードの確認画面が表示され、『はい』を選択することにより、着信メロディのダウンロードが要求され（Ｓｔｅｐ  １１５）、これに応答して、コンテンツサーバ３では着信メロディを送信する（Ｓｔｅｐ  １１６）。
【００６５】
携帯電話１では、ダウンロードした着信メロディを格納する（Ｓｔｅｐ  １１７）。そして、図１４に示される如く、その着信メロディを着信音として設定する確認画面を表示し、『はい』が選択されると、機能設定部１６により、その着信メロディが着信音として設定される（Ｓｔｅｐ  １１８）。
【００６６】
このように、着信音を設定したいと思ったときに、すぐその場で希望のコンテンツを、少ない時間と労力で入手して設定できる。
【００６７】
次に、第２の実施の形態を説明する。
【００６８】
現在、販売されている携帯電話は各種あり、それぞれ、和音数や、画面サイズが異なっており、同一のコンテンツであっても、ある機種では再生や表示ができても、他の機種では再生や表示ができない場合がありうる。
【００６９】
そこで、第２の実施の形態では、同一のコンテンツに対して携帯電話の機種に応じたコンテンツデータを用意し、機種に応じたコンテンツデータを提供する機能を第１の実施の形態に加えたことを特徴とする。尚、第２の実施の形態の説明にあたって、第１の実施の形態と同様なものについては、同じ図番を付し、詳細な説明は省略する。
【００７０】
上述の機能を達成する為に、携帯電話１の機能設定部１６はコンテンツ管理サーバ２にアクセスする際に、自機の機種情報を送信するように構成する。
【００７１】
また、コンテンツ管理サーバ２のコンテンツ管理データベース２３を、図１５に示される如く、機種ごとに用意する。そして、コンテンツ検索部２４は、携帯電話１から送信されてくる機種情報を受信し、この機種情報の機種に対応したコンテンツ管理データベース２３からコンテンツを検索するように構成する。
【００７２】
また、コンテンツサーバ３についても、同一のコンテンツであっても、機種が異なる毎に異なるリンクパラメータを用意する。他の構成については、同様である。
【００７３】
これにより、各携帯電話に適切に対応したコンテンツを選択することができる。
【００７４】
尚、上述した第１及び第２の実施の形態では、コンテンツとして着信メロディを例にして説明したが、コンテンツは待受け画面、ゲーム、アプリケーション、ヘルプファイル、テンプレート（フレームテンプレート、文字テンプレート、添付音楽テンプレート、添付画像テンプレート）、ユーザ情報（メールアドレス等）、動画コンテンツ、音楽コンテンツ、カラオケコンテンツ等でも良い。
【００７５】
また、上述した第１及び第２の実施の形態では、携帯端末として携帯電話を例にして説明したが、他の端末、例えばパーソナルコンピュータ、ネットワーク機能を備えた音楽又は動画再生装置（ラジカセ、ビデオプレーヤ）、ＰＤＡ、販売店に設置されたネットワーク端末、ネットワークに接続された家庭電化製品、カーナビゲーション等であっても良い。
【００７６】
【発明の効果】
本発明はコンテンツ管理サーバを設け、この管理サーバにより、コンテンツを一元管理して、コンテンツを検索できるように構成したので、複数のコンテンツサーバが提供する数多くのコンテンツの中から、少ない労力と時間とで希望のコンテンツを探すことができるという優れた効果を奏する。
【００７７】
また、コンテンツ管理サーバが携帯端末に送るリンクパラメータも、直接コンテンツにリンクされたものであるので、コンテンツサーバのメインページから入って希望のコンテンツまで辿り着く時間を節約することができる。
【００７８】
更に、携帯端末の機能設定画面に、コンテンツ管理サーバへのリンクの項目を設けたので、携帯端末をカスタマイズしようと思ったその時にコンテンツ管理サーバへアクセスすることができ、わざわざ、コンテンツを入手する為に別途、異なる方法でコンテンツ管理サーバへアクセスする必要がなく、多くの労力と時間とを節約できる。
【図面の簡単な説明】
【図１】図１は第１の実施の形態を示すブロック図である。
【図２】図２は携帯電話１のブロック図である。
【図３】図３は機能設定画面を説明する為の図である。
【図４】図４は機能設定画面を説明する為の図である。
【図５】図５は機能設定画面を説明する為の図である。
【図６】図６はコンテンツ管理サーバ２のブロック図である。
【図７】図７は着信メロディの検索画面を説明する為の図である。
【図８】図８にコンテンツ管理データベース２３の一例を示した図である。
【図９】図９はコンテンツサーバのブロック図である。
【図１０】図１０はコンテンツデータベース３２の一例を示した図である。
【図１１】図１１は着信メロディをダウンロードする為の確認画面を示した図である。
【図１２】図１２は本実施の形態における動作のフローチャートである。
【図１３】図１３はコンテンツ管理サーバ２への接続確認の画面を示した図である。
【図１４】図１４は着信メロディを着信音として設定する確認画面を示した図である。
【図１５】図１５は第２の実施の形態におけるコンテンツ管理サーバ２を示した図である。
【符号の説明】
１        携帯電話
２        コンテンツ管理サーバ
３        コンテンツサーバ
４，５    ネットワーク
【図１】
2004342044.tif 000003
【図２】
2004342044.tif 000004
【図３】
2004342044.tif 000005
【図４】
2004342044.tif 000006
【図５】
2004342044.tif 000007
【図６】
2004342044.tif 000008
【図７】
2004342044.tif 000009
【図８】
2004342044.tif 000010
【図９】
2004342044.tif 000011
【図１０】
2004342044.tif 000012
【図１１】
2004342044.tif 000013
【図１２】
2004342044.tif 000014
【図１３】
2004342044.tif 000015
【図１４】
2004342044.tif 000016
【図１５】
2004342044.tif 000017